(57)【要約】【課題】ミキサー装置の良好な外観デザインを維持しつつ、筐体上面の余剰スペースの有効活用を可能とする。【解決手段】ミキサー装置１の筐体１０の上面部２０に形成され、その面が底面部４０に対して傾斜する傾斜平面状の表示パネル３１と、上面部２０における表示パネル３１の後側に隣接して形成した底面部４０と平行な平面状の物品載置面７０と、該物品載置面７０に被せた状態での取り付け・取り外しが可能な上カバー５０とを備え、上カバー５０を物品載置面７０に取り付けた状態で、該カバー部材５０により物品載置面７０が覆われ、物品載置面７０とは異なる傾斜角度をなす上カバー５０の上板５５が筐体１０の上面部２０の一部となる一方、上カバー５０を物品載置面７０から取り外した状態で、露出する物品載置面７０が上面部２０の一部となるように構成した。【選択図】図１
2010171227.tif 000002
【特許請求の範囲】
【請求項１】
上面部と、底面部と、前記上面部と前記底面部との間の側面を覆う側面部とで囲まれた函型の筐体を備えてなる音響調節機器の筐体構造において、
前記上面部に形成され、操作子あるいはディスプレイを配してなり、その面が前記底面部に対して傾斜する傾斜平面状のパネル面と、
前記上面部における前記パネル面に隣接して配置され、その面が前記底面部と平行な平面状に形成された物品載置面と、
該物品載置面への取り付け及び取り外しが可能なカバー部材と、を備え、
前記カバー部材を前記物品載置面に取り付けた状態で、前記物品載置面とは異なる傾斜角度をなす該カバー部材の上面が前記筐体の上面部の一部となる一方、
前記カバー部材を前記物品載置面から取り外した状態で、露出する前記物品載置面が前記筐体の上面部の一部となるように構成した
ことを特徴とする音響調節機器の筐体構造。
【請求項２】
前記物品載置面は、前記音響調節機器の操作者側に対して、前記上面部の前記パネル面よりも後側に配置されている
ことを特徴とする請求項１に記載の音響調節機器の筐体構造。
【請求項３】
前記音響調節機器は、前記筐体構造を備えた一のユニットに並設される他のユニットを備え、
前記一のユニットと前記他のユニットとを同一平面上に隣接して設置した際、前記一のユニットが備える前記カバー部材の上面が前記他のユニットの上面と連続する一平面上に配置される
ことを特徴とする請求項１又は２に記載の音響調節機器の筐体構造。
【請求項４】
前記物品載置面には、機器の端子を接続するための端子接続部が設けられており、
前記カバー部材には、前記端子接続部を露出させる開口部が形成されており、
前記カバー部材を前記物品載置面に取り付けた状態で、前記開口部から前記端子接続部が露出する
ことを特徴とする請求項１乃至３のいずれかに記載の音響調節機器の筐体構造。
【発明の詳細な説明】
【技術分野】
【０００１】
本発明は、ミキサー装置などに用いて好適な音響調節機器の筐体構造に関する。
【背景技術】
【０００２】
従来、例えば特許文献１に示すように、ミキサー装置など音響調節機器の筐体構造がある。この種の音響調節機器の筐体構造は、ディスプレイや多数の操作子を配した上面部（パネル面）と、設置場所に載置される底面部と、上面部と底面部との間の側面を覆う側面部とで囲まれた函型の筐体を備えている。
【特許文献１】意匠登録１３０８００６号公報
【発明の開示】
【発明が解決しようとする課題】
【０００３】
ところで、特許文献１に示すミキサー装置の筐体構造では、操作子やディスプレイを配したパネル面の視認性やデザイン性向上の観点から、該パネル面が筐体の前側から後側に向かって斜めに上昇する傾斜平面状に形成されている。そして、この傾斜平面は、操作子やディスプレイが無いパネル面の後端においてもそのまま維持されており、パネル面の最後端（最上端）は、傾斜平面の上端が上方へ鋭角状に突出する突出形状になっている。
【０００４】
このように、従来のミキサー装置などの音響調節機器の筐体構造では、パネル面が傾斜している上に、その傾斜がパネル面の最後端でも維持されていたため、筐体上に、外付スピーカー（モニター用スピーカー）や文字入力用のキーボードあるいはマウスなどの小型付属機器を安定した状態で載置可能なスペースを確保できなかった。この点、パネル面の空きスペースを有効活用して小型付属機器を載置できるようにすれば、ミキサー装置の利便性を向上させることができる。
【０００５】
一方、大型のミキサー装置などの音響調節機器では、例えば、中央ユニットと左右ユニットなど複数のユニットを備え、該複数のユニットを隣接して設置するように構成したものがある。この場合、隣接して設置するユニット間に外観デザインの統一感を持たせることが重要となる。そのため、小型スピーカーやキーボードなどの付属機器を載置するスペースを筐体上に確保する場合でも、ユニット間の外観デザインの統一感が損なわれないような配慮が求められる。
【０００６】
本発明は上述の点に鑑みてなされたものでありその目的は、複数ユニット間での統一感など良好な外観デザインを維持しつつ、音響調節機器の使用条件に応じて筐体上面の余剰スペースの有効活用が可能となる筐体構造を提供することにある。
【課題を解決するための手段】
【０００７】
上記課題を解決するための本発明は、上面部（２０）と、底面部（４０）と、上面部（２０）と底面部（４０）との間の側面を覆う側面部（４５）とで囲まれた函型の筐体（１０）を備えてなる音響調節機器（１）の筐体構造において、上面部（２０）に形成され、操作子（３４）あるいはディスプレイ（３３）を配してなり、その面が底面部（４０）に対して傾斜する傾斜平面状のパネル面（３１）と、上面部（２０）におけるパネル面（３１）に隣接して配置され、その面が底面部（４０）と平行な平面状に形成された物品載置面（７０）と、該物品載置面（７０）への取り付け及び取り外しが可能なカバー部材（５０）と、を備え、カバー部材（５０）を物品載置面（７０）に取り付けた状態で、物品載置面（７０）とは異なる傾斜角度をなす該カバー部材（５０）の上面（５５）が筐体（１０）の上面部（２０）の一部となる一方、カバー部材（５０）を物品載置面（７０）から取り外した状態で、露出する物品載置面（７０）が筐体（１０）の上面部（２０）の一部となるように構成したことを特徴とする。
【０００８】
本発明にかかる音響調節機器の筐体構造によれば、筐体の底面部と平行な平面状の物品載置面からカバー部材を取り外せば、物品載置面にモニター用スピーカーや文字入力用のキーボードやマウスなどの小型付属機器を載置可能となる。その一方で、カバー部材を物品載置面に取り付ければ、物品載置面とは異なる傾斜角度をなすカバー部材の上面により、筐体の上面に所望の傾斜面を形成することができる。したがって、音響調節機器において、他ユニットとの統一感などの良好な外観デザインを維持しつつ、使用条件に応じて筐体上面の余剰スペースを有効活用することが可能となり、音響調節機器の使い勝手を向上させることができる。
【０００９】
また、上記の音響調節機器の筐体構造では、物品載置面（７０）は、音響調節機器（１）の操作者側に対して、上面部（２０）のパネル面（３１）よりも後側に配置するとよい。これによれば、物品載置面にモニター用のスピーカーやキーボードあるいはマウスなどの小型付属機器を載置しても、操作者によるパネル面やディスプレイの視認性に影響を与えずに済む。また、物品載置面に載置した物品がパネル面に配列した操作子の操作の邪魔になることも防げる。
【００１０】
また、本発明にかかる音響調節機器（１）は、上記の筐体構造を備えた一のユニット（１００）に並設される他のユニット（２００）を備え、一のユニット（１００）と他のユニット（２００）とを同一平面上に隣接して設置した際、一のユニット（１００）が備えるカバー部材（５０）の上面（５５）が他のユニット（２００）の上面（２２２）と連続する一平面上に配置されるようにするとよい。これによれば、本発明の筐体構造を適用した一のユニットに他のユニットを隣接配置してなる音響調節機器において、一のユニットの物品載置面にカバー部材を取り付けた状態で、一のユニットと他のユニットとの外観形状に統一感を持たせることが可能となる。これにより、音響調節機器の外観デザインを良好にできる。その一方で、カバー部材を取り外せば、物品載置面に小型付属機器などを載置することが可能となるので、音響調節機器の利便性も向上させることができる。
【００１１】
また、上記の音響調節機器の筐体構造では、物品載置面（７０）には、機器の端子を接続するための端子接続部（７１）が設けられており、カバー部材（５０）には、端子接続部（７１）を露出させる開口部（５６）が形成されており、カバー部材（５０）を物品載置面（７０）に取り付けた状態で、開口部（５６）から端子接続部（７１）が露出するようにしてよい。これによれば、カバー部材を取り付けた状態と取り外した状態のいずれにおいても端子接続部の利用が可能となるので、付属機器などを効果的に活用できるようになり、音響調節機器の利便性が向上する。なお、上記の括弧内の符号は、後述する実施形態の対応する構成要素の符号を本発明の一例として示したものである。
【発明の効果】
【００１２】
本発明にかかる音響調節機器の筐体構造によれば、複数ユニット間での統一感など良好な外観デザインを維持しつつ、筐体上面の余剰スペースを有効活用でき、音響調節機器の使い勝手を向上させることが可能となる。
【発明を実施するための最良の形態】
【００１３】
以下、添付の図面を参照して本発明の実施形態を詳細に説明する。図１は、本発明の一実施形態にかかる筐体構造を適用したミキサー装置（音響調節機器）１の外観構成を示す図で、（ａ）は、ミキサー装置１の筐体１０に後述する上カバー５０を取り付けた状態の斜視図、（ｂ）は、上カバー５０を取り外した状態の斜視図である。なお、同図（ｂ）では、筐体１０から取り外した上カバー５０を分解した状態で示している。なお、以下の説明では、ミキサー装置１の操作者側を手前側あるいは前側、その反対側を後側という。また、ミキサー装置１の手前側からみた両側を左右あるいは横方向という。また、各部品における方向を示す場合は、各部品をミキサー装置１に取り付けた状態での方向で示す。
【００１４】
ミキサー装置１の筐体１０は、ディスプレイ３３及び複数の操作子２９，３４を配した上面部２０と、上面部２０の下方に配置された底面部４０と、上面部２０と底面部４０との間の側面を覆う側面部４５とで函型に形成されている。側面部４５は、筐体１０の前側面を形成する前壁４６と、左右側面を形成する横壁４７と、後側面を形成する後壁４８とからなる。底面部４０は、平板状の底壁４１と該底壁４１の下面に取り付けた突起状の複数の脚部４２（図３参照）とを備えて構成されている。
【００１５】
上面部２０は、筐体１０の手前側に配置されて多数の操作子２９を配列した平面状の操作パネル（パネル面）２１と、該操作パネル２１の後端辺２１ａに連接された境界部２５と、ディスプレイ３３を含み境界部２５から後方斜め上側に立設された傾斜平面状の表示パネル（パネル面）３１とからなる。操作パネル２１は、その面が底壁４１と平行に配置されている。境界部２５は、操作パネル２１の後端辺２１ａに沿って筐体１０の横方向に直線状に延びている。表示パネル３１は、境界部２５の後側でその面が後方斜め上側に向かって延びている。
【００１６】
上面部２０は、境界部２５を挟んで操作パネル２１と表示パネル３１とが鈍角のＶ字型、すなわち逆へ字型をなしている。したがって、筐体１０の底面部４０を水平面に設置した状態で、操作パネル２１が水平になり、表示パネル３１が水平面から後方斜め上側に所定角度（図では約４５度）に立設された状態となる。
【００１７】
操作パネル２１には、各種の操作子２９が配設されている。操作子２９は、操作パネル２１に設けた小孔（図示せず）を貫通して操作パネル２１の上面側に露出している。ここでいう各種の操作子２９には、フェーダ操作子２９ａ、スイッチ類２９ｂ、ロータリーボリューム２９ｃなどが含まれる。また、操作パネル２１には、液晶表示部２９ｄなどの電子機器類も設置されている。操作パネル２１上のフェーダ操作子２９ａは、ミキサー装置１の前後方向に沿って直線状にスライド移動が可能である。なお、フェーダ操作子２９ａは手動操作で移動するように構成されているが、電気的に駆動するためのモータ（図示せず）も併設されている。一方、表示パネル３１には、ディスプレイ３３が嵌め込まれている。また、表示パネル３１におけるディスプレイ３３の側部には、スイッチ類やロータリーボリュームなどからなる操作子３４が配列されている。
【００１８】
また、上面部２０における境界部２５には、モール板２３が取り付けられている。モール板２３は、可撓性を有する合成樹脂材などで形成された細板状の部材で、操作パネル２１の後端辺２１ａと表示パネル３１の前端辺３１ａとの隙間に嵌め込まれている。
【００１９】
そして、図１（ｂ）に示すように、上面部２０の表示パネル３１より後側、すなわち上面部２０の最後部には、底壁４１と略平行な平面状の物品載置面７０が形成されている。物品載置面７０には、横断面が略三角形状に形成された上カバー（カバー部材）５０が取り付けられている。上カバー５０は、物品載置面７０に対して取り付け及び取り外しが可能である。したがって、上カバー５０を取り外せば、露出する物品載置面７０にモニター用スピーカーや文字入力用のキーボードやマウスなどの小型付属機器を載置することが可能となる。一方、物品載置面７０に上カバー５０を取り付ければ、上カバー５０によって物品載置面７０が隠れ、上カバー５０が筐体１０の上面部２０の一部をなすようになる。
【００２０】
図２は、上カバー５０及び物品載置面７０の詳細構成を示す部分拡大横断面図である。物品載置面７０は、後壁４８の上端から手前側に向かって底壁４１と略平行に延びる板状部材４９の上面に形成されており、表示パネル３１の後端よりも一段低い位置に配置されている。上カバー５０は、図１（ｂ）及び図２に示すように、略三角形状の平板部材からなる一対の側板５１，５１と、側板５１，５１に固定される上板５５及び押え板６１とを備えており、上方に突出する三角形状のテント型に形成されている。側板５１，５１は、金属などで形成された板状部材を折曲形成した部材で、互いに左右対称の形状を有しており、物品載置面７０に対して平行な底辺５１ａと、底辺５１ａの手前側上方に位置する前上辺５１ｂと、後側上方に位置する後上辺５１ｃとからなる三辺を備えた略三角形状に形成されている。側板５１は、その面が筐体１０の前後方向に沿って配置されている。
【００２１】
側板５１の前上辺５１ｂには、上板５５を固定するための被固定片５２が形成されている。被固定片５２は、前上辺５１ｂを一定幅で内側へ略直角に折曲形成した部分である。また、側板５１の底辺５１ａには、物品載置面７０に固定される被固定片５３が形成されている。被固定片５３は、側板５１の底辺５１ａを一定幅で内側へ略直角に折曲形成した部分である。
【００２２】
上板５５は、筐体１０の左右方向を長手方向とする略長方形状の平板部材で、側板５１，５１に掛け渡されている。上板５５は、側板５１の前上辺５１ｂに設けた被固定片５２に対してボルト５４の締結で固定される。すなわち、上板５５の左右両端の近傍には、ボルト孔５５ａが形成されており、側板５１の被固定片５２にもボルト孔５２ａが形成されている。ボルト孔５５ａとボルト孔５２ａとにボルト５４を締結することで、側板５１，５１に上板５５を固定するようになっている。側板５１，５１に固定された上板５５は、表示パネル３１の後方で表示パネル３１の面とは異なる別の傾斜面を形成する。この面は、表示パネル３１の傾斜角度よりも若干緩やかな傾斜角度で後方斜め上側に向かって上昇する傾斜面となっている。
【００２３】
また、図２に示すように、側板５１の物品載置面７０への取り付けは、ボルト５７の締結で行われる。すなわち、物品載置面７０の左右両端の近傍には、ボルト孔７０ａが形成されており、側板５１の被固定片５３にもボルト孔５３ａが形成されている。物品載置面７０のボルト孔７０ａと被固定片５３のボルト孔５３ａとにボルト５７を締結することで、側板５１，５１を物品載置面７０に固定するようになっている。
【００２４】
押え板６１は、合成樹脂製の成型品で、上板５５の後端辺に沿って筐体１０の左右方向に延びる長尺状の板材である。押え板６１の上端辺は、一定幅で手前側に突出する突出辺６１ａになっており、該押え板６１は、上端の突出辺６１ａから下端に向かって側板５１の後上辺５１ｃに沿うように斜め下方に延びており、その途中には、段部６１ｂが形成されている。段部６１ｂは、上下及び前後方向を向く複数の平面からなり、その上面側には、断面が略コ字型のレール溝６２が形成されている。レール溝６２は、後述するように、台本載置板８０の後脚８１に設けた転動体８２や照明具９０の支持アーム９１に設けた転動体をガイドするため溝部として使用可能である。
【００２５】
押え板６１は、物品載置面７０に対してボルト６３で固定されるようになっている。ボルト６３は、押え板６１におけるレール溝６２の底部に形成したボルト孔６１ｃと、物品載置面７０の後端辺に沿って配列したボルト孔７０ｂとに挿通される。押え板６１のボルト孔６１ｃは、レール溝６２に沿って所定間隔で複数個が配列されている。物品載置面７０のボルト孔７０ｂは、ボルト孔６１ｃに対応して設けられている。また、押え板６１は、上板５５に対してボルト６４で固定されるようになっている。ボルト６４は、押え板６１の突出辺６１ａに形成したボルト孔６１ｄと、上板５５の後端辺に沿って配列したボルト孔５２ｂとに挿通される。なお、図１（ｂ）では、ボルト５４、ボルト５７、ボルト６４の図示を省略している。
【００２６】
物品載置面７０には、キーボードやマウスなどの機器を接続するための接続端子部７１が設置されている。接続端子部７１は、例えば、ＵＳＢ端子からなる。接続端子部７１は、その上面（端子接続面）７１ａが上カバー５０の上板５５と平行になるように手前側へ傾斜した小突起状に形成されている。一方、上板５５における接続端子部７１に対応する位置には、接続端子部７１の外形に沿う形状の開口部５６が形成されている。したがって、上カバー５０を物品載置面７０に取り付けた状態で、開口部５６から接続端子部７１が露出するようになっている。
【００２７】
次に、上カバー５０の組立及び筐体１０への取付の手順について説明する。まず、側板５１，５１を物品載置面７０に取り付ける。この取り付けは、側板５１の被固定片５３に設けたボルト孔５３ａと物品載置面７０に設けたボルト孔７０ａとにボルト５７を締結して行う。その状態で、側板５１，５１の前上辺５１ｂ，５１ｂに上板５５を取り付ける。上板５５の取り付けは、側板５１，５１の被固定片５２，５２に設けたボルト孔５２ａ，５２ａと上板５５に設けたボルト孔５５ａ，５５ａとにボルト５４を締結して行う。さらにその状態で、側板５１の後上辺５１ｃに押え板６１を被せて取り付ける。この取り付けは、押え板６１の突出辺６１ａを上板５５の後端辺に載せ、その状態で押え板６１に設けたボルト孔６１ｃと物品載置面７０に設けたボルト孔７０ｂとにボルト６３を締結し、かつ、押え板６１に設けたボルト孔６１ｄと上板５５に設けたボルト孔５２ｂとにボルト６４を締結して行う。以上により、上カバー５０の組み立て及び物品載置面７０への取り付けが完了する。なお、上カバー５０の分解及び物品載置面７０からの取り外しは、上記の手順を逆の順序で行えばよい。
【００２８】
本実施形態の筐体構造では、図１（ａ）に示すように、物品載置面７０に上カバー５０を取り付けた状態で、上カバー５０で物品載置面７０が隠れ、物品載置面７０とは異なる傾斜平面をなす上カバー５０の上板５５が筐体１０の上面部２０の一部となる。また、上カバー５０の上板５５と押え板６１とにより、筐体１０の上面部２０の後端が上方に突出する山形の突起状となる。これらにより、筐体１０の上面部２０を所望のデザインとすることができ、筐体１０の外観デザインが良好になる。その一方で、図１（ｂ）に示すように、物品載置面７０から上カバー５０を取り外せば、表示パネル３１の後側に平面状の物品載置面７０が露出する。したがって、物品載置面７０にモニター用のスピーカーやキーボードやマウスなどの小型付属機器を載置することが可能である。これらにより、ミキサー装置１の良好な外観デザインを維持しつつ、筐体１０の上面部２０の余剰スペースの有効活用が可能となり、ミキサー装置１の使い勝手を向上させることができる。なお、上カバー５０を取り付けた状態と取り外した状態のいずれにおいても、接続端子部７１が露出するので、接続端子部７１にキーボードやマウスなどを接続することが可能である。また、物品載置面７０には、スピーカーやキーボードあるいはマウスなどの付属機器以外にも、台本など他の小物を置くことも可能である。
【００２９】
また、この筐体構造では、物品載置面７０は、ミキサー装置１の手前側に座った操作者から見て、表示パネル３１より後側の位置に設けられている。したがって、物品載置面７０にモニター用のスピーカーなどの付属機器を載置しても、操作者による表示パネル３１やディスプレイ３３の視認性に影響を与えずに済む。また、物品載置面７０に載置した付属機器が操作子２９や操作子３４の操作の邪魔になることも防げる。
【００３０】
図３は、筐体１０に台本載置板８０を取り付けた状態を示す概略側面図（一部断面図）である。同図に示すように、表示パネル３１の上方には、その面を表示パネル３１と平行に配置した台本載置板８０が設置可能である。台本載置板８０は、略矩形の板状部材で、後端辺８０ｂに連結した棒状の後脚８１が、表示パネル３１と上カバー５０の上方で底壁４１と平行に筐体１０の後側へ延びており、押え板６１の位置で垂直下方に屈曲して、その下端に取り付けた車輪などからなる転動体８２が押え板６１のレール溝６２に係合している。一方、台本載置板８０の前端辺８０ａは、境界部２５の真上に位置しており、該前端辺８０ａから垂直下方に延びる直線棒状の前脚８３の下端に設置した転動体８４がモール板２３に対してその長手方向に沿って転動可能に載置されている。なお、前脚８３と後脚８１は、台本載置板８０の左右端に一本ずつ設けられている。したがって、前脚８３の転動体８４がモール板２３上を転動し、後脚８１の転動体８２が押え板６１のレール溝６２を転動することで、台本載置板８０は、表示パネル３１の上方において筐体１０の左右方向（図３の紙面手前側及び奥側方向）にスライド移動自在になっている。なお、台本載置板８０は、ミキサー装置１に対して取り付け及び取り外しが可能である。
【００３１】
図４は、本発明にかかる筐体構造を適用したミキサー装置１の中央ユニット１００と、該中央ユニット１００の両側に設置した左右ユニット２００，２００との外観構成を示す斜視図である。同図に示す中央ユニット１００は、本発明にかかる上記の筐体１０を備えており、表示パネル３１の後側に上カバー５０を取り付けた物品載置面７０（図４では図示せず）が設けられている。
【００３２】
中央ユニット１００の両側に設置された左ユニット２００と右ユニット２００は、互いに同一の形状の筐体２１０を備えている。筐体２１０は、上面部２２０と底面部２４０と側面部２４５を有する函型に形成されている。上面部２２０は、手前側に配置した第１操作パネル２２１と、第１操作パネル２２１の後端に設けた境界部２２５と、境界部２２５の後側に配置した表示パネル２３１と、表示パネル２３１の後端から後方に延びる第２操作パネル２２２とを備えて構成されている。第１操作パネル２２１には、操作子２２９が配列されており、その面が底面部２４０と平行に配置されている。表示パネル２３１は、ディスプレイ２３３を有してなり、中央ユニット１００の表示パネル３１と等しい傾斜角度で境界部２２５から後方斜め上側に傾斜している。表示パネル２３１は、中央ユニット１００の表示パネル３１より高さが低くなっている。第２操作パネル２２２には、操作子２２９が配列されており、表示パネル２３１の上端から中央ユニット１００の上カバー５０の上板５５と等しい傾斜角度で後方斜め上側に向かって延びている。この第２操作パネル２２２は、上カバー５０の上板５５に隣接して配置されており、これら第２操作パネル２２２と上カバー５０の上板５５とが同一の平面上に位置し、互いの面が略一致した状態になっている。
【００３３】
すなわち、本実施形態の筐体構造を備えたミキサー装置１の中央ユニット１００に左右ユニット２００，２００を隣接して設置した際、中央ユニット１００が備える上カバー５０の上板５５が左右ユニットの２００，２００の上面と連続する一平面上に配置される。つまり、中央ユニット１００の物品載置面７０に上カバー５０を取り付けた状態で、中央ユニット１００と左右ユニット２００，２００との外観形状に統一感を持たせることが可能となる。これにより、ミキサー装置１の外観デザインを良好にすることができる。その一方で、中央ユニット１００の上カバー５０を取り外せば、物品載置面７０にモニター用スピーカーなどの小型付属機器を載置できるので、ミキサー装置１の利便性を向上させることができる。
【００３４】
また、図４に示すように、ミキサー装置１の筐体１０には、操作パネル２１などの上面部２０を照らすための照明具９０を取り付けることが可能である。照明具９０は、屈曲棒状の支持アーム９１と、該支持アーム９１の先端に設けたＬＥＤや電球などを内蔵した照明部９２とで構成されている。支持アーム９１は、図３に示す台本載置板８０の後脚８１とほぼ同様の構成であり、一端に取り付けた転動体（図示せず）が押え板６１のレール溝６２に係合しており、そこから上方に延び、手前側へ略直角に屈曲して表示パネル３１の上から操作パネル２１の上まで延伸して照明部９２に繋がっている。したがって、レール溝６２に沿う転動体の移動により、照明部９２が照らす位置を操作パネル２１の左右方向で任意の位置に変えることができる。なお、照明具９０は、ミキサー装置１に対して取り付け及び取り外しが可能である。
【００３５】
以上本発明の実施形態を説明したが、本発明は上記実施形態に限定されるものではなく、特許請求の範囲、及び明細書と図面に記載された技術的思想の範囲内において種々の変形が可能である。例えば、上記実施形態では、筐体１０の上面部２０の操作パネル２１と表示パネル３１とがＶ字型（逆へ字型）をなす屈曲面形状である場合を示したが、本発明の筐体構造では、例えば、筐体の上面部を一の傾斜平面で構成するなど、上記実施形態以外の形状とすることも可能である。また、本発明の筐体構造は、上記実施形態に示すミキサー装置１以外にも、他の種類の音響調節機器にも適用が可能である。
【図面の簡単な説明】
【００３６】
【図１】本発明の一実施形態にかかる筐体構造を適用したミキサー装置の外観構成を示す図で、（ａ）は、ミキサー装置の筐体に上カバーを取り付けた状態の斜視図、（ｂ）は、上カバーを取り外した状態の斜視図である。
【図２】上カバー及びその周辺の詳細構成を示す部分拡大横断面図である。
【図３】表示パネルの上方に台本載置板を取り付けた状態を示す筐体の概略側面図である。
【図４】本発明にかかる筐体構造を適用したミキサー装置の中央ユニットと、該中央ユニットの両側に設置した左右ユニットとの外観構成を示す斜視図である。
【符号の説明】
【００３７】
１  ミキサー装置（音響調節機器）
１０  筐体
２０  上面部
２１  操作パネル
２５  境界部
２９  操作子
３１  表示パネル（パネル面）
３３  ディスプレイ
４０  底面部
４５  側面部
５０  上カバー（カバー部材）
５１  側板
５５  上板
５６  開口部
６１  押え板
７０  物品載置面
７１  接続端子部
８０  台本載置板
９０  照明具
１００  中央ユニット（一のユニット）
２００  左（右）ユニット（他のユニット）
【図１】
2010171227.tif 000003
【図２】
2010171227.tif 000004
【図３】
2010171227.tif 000005
【図４】
2010171227.tif 000006